(57)【要約】  本発明は、集合ダウンリンク・コンポーネント・キャリアに承認フィードバックを与えるための方法および装置を提供する。方法の一実施形態は、特定のユーザ機器に集められたダウンリンク・コンポーネント・キャリア用の承認ビットを決定することを含む。各承認ビットは、対応するダウンリンク・コンポーネント・キャリアが成功裏に受信されたかどうかを示す。また、この実施形態は、アップリンク・コンポーネント・キャリアの１つまたは複数のアップリンク制御チャネルのリソース内で承認ビットを表現するシンボル・コンステレーションを伝送することを含む。
2013530602.tif 000002
【特許請求の範囲】
【請求項１】
ユーザ機器で、前記ユーザ機器に集められた複数のダウンリンク・コンポーネント・キャリア用の複数の承認ビットを決定するステップであって、各承認ビットが対応するダウンリンク・コンポーネント・キャリアが成功裏に受信されたかどうかを示す、ステップと、
前記アップリンク・コンポーネント・キャリアの少なくとも１つのアップリンク制御チャネルの複数のリソース内で前記承認ビットを表現するシンボル・コンステレーションを伝送するステップと
を含む方法。
【請求項２】
前記承認ビットを前記シンボル・コンステレーションおよび前記少なくとも１つのアップリンク制御チャネルの前記複数のリソースにマッピングするステップを含み、前記承認ビットを前記シンボル・コンステレーションおよび前記複数のリソースにマッピングするステップが、前記シンボル・コンステレーションの値と前記複数のリソースのうちの１つとの各組合せが承認ビットの異なる組合せを示すように承認ビットをマッピングするステップを含む、請求項１に記載の方法。
【請求項３】
前記複数のダウンリンク・コンポーネント・キャリアのそれぞれが２つのコードワードを伝送し、前記複数の承認ビットを決定するステップが前記複数のダウンリンク・コンポーネント・キャリアのそれぞれの上で伝送されたコードワード毎に承認ビットを決定するステップを含む、請求項２に記載の方法。
【請求項４】
４個を超えるダウンリンク・コンポーネント・キャリアが前記ユーザ機器に集められ、前記複数の承認ビットを決定するステップが少なくとも１つの空間的にバンドルされた一対のダウンリンク・コンポーネント・キャリア用の少なくとも１つの承認ビットを決定するステップを含む、請求項３に記載の方法。
【請求項５】
前記複数のダウンリンク・コンポーネント・キャリアのいずれがダウンリンク制御チャネル伝送を含むかを示す情報を受信するステップと、前記複数のダウンリンク・コンポーネント・キャリアのいずれがダウンリンク制御チャネル伝送を含むかを示す前記情報に基づいて少なくとも１つの不連続伝送（ＤＴＸ）を検出するステップとを含む、請求項１に記載の方法。
【請求項６】
基地局から少なくとも１つのユーザ機器に、前記少なくとも１つのユーザ機器に集められた複数のダウンリンク・コンポーネント・キャリアを伝送するステップと、
アップリンク・コンポーネント・キャリアの少なくとも１つのアップリンク制御チャネルの複数のリソース内で前記複数のダウンリンク・コンポーネント・キャリア用の複数の承認ビットを表現する複数のシンボル・コンステレーションを受信するステップであって、各承認ビットが対応するダウンリンク・コンポーネント・キャリアが成功裏に受信されたかどうかを示す、ステップと
を含む方法。
【請求項７】
前記シンボル・コンステレーションおよび前記複数のリソースへの前記承認ビットの所定のマッピングを使用して前記複数の承認ビットの値を判定するステップを含み、前記所定のマッピングを使用して前記複数の承認ビットの前記値を判定するステップが、前記シンボル・コンステレーションの値と前記複数のリソースのうちの１つとの各組合せが承認ビットの異なる組合せを示すことを示す所定のマッピングを使用して前記複数の承認ビットの前記値を判定するステップを含む、請求項６に記載の方法。
【請求項８】
前記少なくとも１つのアップリンク制御チャネルの前記複数のリソース内で前記シンボル・コンステレーションを受信するステップが一対のアップリンク制御チャネルの複数のリソース内で前記シンボル・コンステレーションを受信するステップを含み、前記シンボル・コンステレーションおよび前記複数のリソースへの前記承認ビットの前記所定のマッピングが前記シンボル・コンステレーションの値および前記一対のアップリンク制御チャネル内の前記複数のリソースのうちの１つへの前記承認ビットの所定のマッピングを含む、請求項７に記載の方法。
【請求項９】
前記複数のダウンリンク・コンポーネント・キャリアのそれぞれを介して２つのコードワードを伝送するステップを含み、前記複数の承認ビットを受信するステップが前記複数のダウンリンク・コンポーネント・キャリアのそれぞれの上で伝送されたコードワード毎に承認ビットを受信するステップを含む、請求項８に記載の方法。
【請求項１０】
前記複数のリソース内の前記受信したシンボル・コンステレーションに基づいて前記承認ビットの値を判定するステップと、前記承認ビットの前記値に基づいて前記ダウンリンク・コンポーネント・キャリアのいずれかを再送するかどうかを判定するステップとを含む、請求項６に記載の方法。
【請求項１１】
ユーザ機器で、アップリンク制御チャネルの複数のリソース内での伝送用シンボル・コンステレーションに承認ビットをマッピングするステップを含む方法であって、前記承認ビットが、集合ダウンリンク・コンポーネント・キャリアを介して伝送されたコードワードが前記ユーザ機器で成功裏に受信されたかどうかを示す、方法。
【発明の詳細な説明】
【技術分野】
【０００１】
関連出願の相互参照
本出願は、２０１０年５月４日に出願した米国仮特許出願第６１／３３０，６７０号の優先権を主張するものである。
【０００２】
本発明は、一般に通信システムに関し、より詳細には無線通信システムに関する。
【背景技術】
【０００３】
無線通信システムは、相互接続されたアクセス・ノードまたは基地局のネットワークを使用して、アクセス端末に無線接続性を提供する。アクセス端末と基地局の間のエア・インタフェースを介した通信は、さまざまな合意した規格および／またはプロトコルに従って行われる。例えば、第３世代パートナーシップ・プロジェクト（３ＧＰＰ、３ＧＰＰ２）は、ロング・ターム・エボリューション（ＬＴＥ）と呼ばれるパケット交換無線通信システム用の一組の規格を規定した。ＬＴＥ規格は、単一キャリア周波数分割多元接続（ＳＣ−ＦＤＭＡ）を含むアクセス方式をサポートする。複数のユーザは、重なりのないフーリエ係数またはサブキャリアのさまざまなセットを使用して、ＳＣ−ＦＤＭＡネットワークに同時にアクセスすることができる。ＳＣ−ＦＤＭＡの１つの極めて特徴的な機能は、それが単一のコンポーネント・キャリア伝送信号につながることである。また、ＬＴＥ規格は、送信機および／または受信機に配備された複数のアンテナを使用するエア・インタフェースを介して、マルチ入力／マルチ出力（ＭＩＭＯ）通信をサポートする。ＬＴＥによってサポートされるキャリアの帯域幅は約２０ＭＨｚであり、それは約１００Ｍｂｐｓのダウンリンクの最大データ・レートおよび約５０Ｍｂｐｓのアップリンクの最大データ・レートをサポートすることができる。
【０００４】
ＬＴＥ−Ａｄｖａｎｃｅｄ（ＬＴＥ−Ａ）などの、それに続く規格の主要な目標の１つは、極めて高い帯域幅を達成することである。したがって、ＬＴＥ−Ａはキャリア・アグリゲーションを実装して、利用可能な帯域幅をＬＴＥの限界を超えて拡張する。例えば、ＬＴＥ−Ａに従って動作するシステムは、ＬＴＥに従って動作するＳＣ−ＦＤＭＡシステムで使用される単一のコンポーネント・キャリアに類似する、複数のコンポーネント・キャリアをサポートする。複数のコンポーネント・キャリアは独立して割り当てることができるか、または、単一の送信機が単一の受信機への同時伝送用に複数のコンポーネント・キャリアのリソースを結合することができるように、集めることができる。ＬＴＥ−Ａ内の各コンポーネント・キャリアは、（ＬＴＥへの後方互換性のために）約２０ＭＨｚの帯域幅をもち、ＬＴＥ−Ａは５個のコンポーネント・キャリアをサポートする。したがって、ＬＴＥ−Ａによってサポートされる最大集合キャリアの帯域幅は約１００ＭＨｚであり、それは約１Ｇｂｐｓのダウンリンクの最大データ・レートおよび約１００Ｍｂｐｓのアップリンクの最大データ・レートをサポートすることができる。
【０００５】
また、ＬＴＥおよびＬＴＥ−Ａの規格は、アップリンク・チャネルを介したハイブリッド自動再送要求（ＨＡＲＱ）フィードバックなどの承認フィードバックをサポートする。その結果、ＬＴＥ−Ａ規格は、ダウンリンクＭＩＭＯ技法を使用してキャリア・アグリゲーションおよび空間的多様性をサポートするＨＡＲＱフィードバック手順を提供しなければならない。集合チャネルは、コンポーネント・キャリアのそれぞれに承認情報を伝えるために、別のフィードバック・ビットを必要とする。したがって、１つの提案は、物理的アップリンク制御チャネル（ＰＵＣＣＨ）のフォーマットを修正して、ＡＣＫ／ＮＡＫコードブックのサイズを大きくすることである。しかしながら、この提案を実現することは、ＬＴＥ−Ａ規格の仕様をかなり修正する必要があり、アクセス端末と基地局のどちらにも新しい送受信機を実装して新しいチャネル・フォーマットをサポートする必要がある。
【発明の概要】
【発明が解決しようとする課題】
【０００６】
開示した主題は、上記に説明した問題のうちの１つまたは複数の影響に対処することに関する。開示した主題のいくつかの態様を基本的に理解するために、開示した主題の簡略化された概要を以下に提示する。この概要は、開示した主題の網羅的な概説ではない。開示した主題の重要かつ肝要な構成要素を識別するものではなく、または、開示した主題の範囲を描写するものではない。その唯一の目的は、あとで記載する詳細な説明への序章として、簡略化された形でいくつかの概念を提示することである。
【課題を解決するための手段】
【０００７】
一実施形態では、集合ダウンリンク・コンポーネント・キャリアに承認フィードバックを与えるための方法が提供される。方法の一実施形態は、特定のユーザ機器に集められたダウンリンク・コンポーネント・キャリア用の承認ビットを決定することを含む。各承認ビットは、対応するダウンリンク・コンポーネント・キャリアが成功裏に受信されたかどうかを示す。また、この実施形態は、アップリンク・コンポーネント・キャリアの１つまたは複数のアップリンク制御チャネルのリソース内で承認ビットを表現するシンボル・コンステレーションを伝送することを含む。
【０００８】
別の実施形態では、集合ダウンリンク・コンポーネント・キャリア用の承認フィードバックを受信するための方法が提供される。方法の一実施形態は、特定のユーザ機器に集められたダウンリンク・コンポーネント・キャリアを伝送することを含む。また、この実施形態は、複数のダウンリンク・コンポーネント・キャリア用の承認ビットを表現するシンボル・コンステレーションを受信することを含む。シンボル・コンステレーションは、アップリンク・コンポーネント・キャリアの１つまたは複数のアップリンク制御チャネルのリソースの中で受信される。各承認ビットは、対応するダウンリンク・コンポーネント・キャリアが成功裏に受信されたかどうかを示す。
【０００９】
開示した主題は、添付図面と併用して以下の説明を参照することによって理解することができる。添付図面の中では、同じ参照数字は同じ構成要素を識別する。
【図面の簡単な説明】
【００１０】
【図１】無線通信システムの１つの例示的な実施形態を概念的に示す図である。
【図２】アップリンクおよび／またはダウンリンクの通信に使用することができる複数のコンポーネント・キャリアを概念的に示す図である。
【図３】従来のコンポーネント・キャリアの１つの例示的な実施形態を概念的に示す図である。
【図４】複数のアップリンク制御チャネルを介して承認フィードバックを与えるためのリソース割り当ての１つの例示的な実施形態を概念的に示す図である。
【図５】コンポーネント・キャリア上で伝送されるコードワードの空間的バンドリングの１つの例示的な実施形態を概念的に示す図である。
【発明を実施するための形態】
【００１１】
開示した主題はさまざまな修正形態および代替の形態が可能であるが、その特定の実施形態を図面の中で例として示し、本明細書において詳細に記載した。しかしながら、本明細書における特定の実施形態の説明は、開示した主題を開示した特定の形態に限定するものではなく、これに反して、添付特許請求の範囲の範囲内にあるすべての修正形態、均等物、および代替物をカバーするものであることを理解すべきである。
【００１２】
例示的な実施形態を下記に記載する。分かりやすくするために、この明細書では実際の実装形態のすべての特徴は記載されない。当然、任意のそのような実施形態の開発では、実装毎に変化する、システム関連およびビジネス関連の制約の順守などの、開発者特有の目標を達成するために多数の実装特有の決定がなされるべきであることが理解されよう。さらに、そのような開発努力は複雑で時間を浪費するものであるかもしれないが、それにもかかわらず、本開示の利点を有する当業者のためにとられるルーチンであることが理解されよう。
【００１３】
ここで、添付図を参照して開示した主題を記載する。説明だけを目的として、かつ当業者によく知られている詳細で本発明を不明瞭にしないように、さまざまな構造、システムおよび装置が、図面の中で図式的に描写される。それにもかかわらず、添付図面は、開示した主題の説明的な例を記載し、説明するために含まれる。本明細書において使用される単語およびフレーズは、当業者によるそれらの単語およびフレーズの理解と一致する意味を有するものと、理解し解釈すべきである。用語またはフレーズの特別な定義、すなわち当業者によって理解される通常および慣例の意味とは異なる定義は、本明細書における用語またはフレーズの一貫性のある使用によって暗示されるものではない。用語またはフレーズが特別な意味、すなわち当業者によって理解される以外の意味を有するものである限り、そのような特別な定義は、用語またはフレーズ用の特別な定義を直接かつ明確に与える定義方式で、明細書の中ではっきりと説明される。
【００１４】
一般に、本出願は、集合ダウンリンク・コンポーネント・キャリアに承認フィードバックを与えるための技法を記載する。キャリア・アグリゲーションを実装するシステムの実施形態は、通常、集合ダウンリンク・コンポーネント・キャリア毎にアップリンク承認フィードバックを必要とする。しかしながら、一部の実施形態では、従来のアップリンク・チャネルとダウンリンク・チャネルの間の１対１マッピングは、アップリンク・チャネルとダウンリンク・チャネルの間の１対多マッピングによって置き換えられる。例えば、基地局とユーザ機器の間のエア・インタフェースは、恐らく、ユーザ機器で利用可能なアンテナの数および／または伝送能力などの物理的な制限に起因して、単一のアップリンク・キャリアしかサポートすることができない。別の例では、３ＧＰＰによって確立された規格などの無線通信規格は、複数のアップリンク・キャリアがデータ伝送用に利用可能であっても、単一のアップリンク・キャリアのみが物理的なアップリンク制御チャネルを含むことができると規定することができる。この問題は、各ダウンリンク・コンポーネント・キャリア上で複数のコードワードの伝送をサポートする規格によって悪化する可能性がある。なぜなら、１つの承認ビットをコードワード毎に伝送する可能性があるからである。
【００１５】
少なくとも一部は従来の実践におけるこれらの欠点に対処するために、承認ビットなどの承認フィードバックは、従来のサブフレーム・ツー承認マッピングの代わりにコンポーネント・キャリア・ツー承認マッピングを使用して、生成することができる。一実施形態では、ユーザ機器は、受信したダウンリンク・コンポーネント・キャリアを復調および／または復号しようと試みる。これらの試みが成功するかまたは失敗するかに基づいて、ユーザ機器は適切な承認ビットを決定し、次いで、単一のアップリンク・コンポーネント・キャリアの１つまたは複数のアップリンク制御チャネルのリソース内での伝送用シンボル・コンステレーションに、決定した承認ビットをマップすることができる。承認ビットは、集合ダウンリンク・コンポーネント・キャリアを介して伝送されたコードワードがユーザ機器で成功裏に受信されたかどうかを示す。ユーザ機器は、アップリンク制御チャネルのリソース内で承認ビットを表現するシグナル・コンステレーションを伝送することができる。次いで、基地局は受信した承認ビットを使用して、ダウンリンク制御チャネルの伝送が成功したかどうか、および／または、ダウンリンク制御チャネルのいずれかを再送すべきかどうかを判定することができる。一実施形態では、１つの物理的なアップリンク・チャネルの４個のリソース・ブロックを、ＱＰＳＫシンボルを伝送するように割り当てることができ、その結果４個の承認ビットが伝送される。この実施形態は、それぞれが１つのコードワードを伝送する４個のコンポーネント・キャリアの集合に承認フィードバックを与えるために使用することができる。代替の実施形態では、（例えば、それぞれ２つのコードワードを伝送する４個のダウンリンク・チャネル用に必要となる可能性がある）８個までの承認ビットは、２つの隣接する物理的なアップリンク・チャネル・リソース・ペアを使用することによって、１つのアップリンク・コンポーネント・キャリアを介して伝送することができる。さらに、これらのチャネルの一部または全部の空間的バンドリングは、サポートされるダウンリンク・コンポーネント・キャリア／コードワードの数を９／１０（またはそれ以上）まで拡張して、ＬＴＥ−Ａの中に集めることができる５個の潜在的コンポーネント・キャリアをカバーすることができる。
【００１６】
図１は、無線通信システム１００の１つの例示的な実施形態を概念的に示す。例示された実施形態では、無線通信システム１００は、モバイル装置１１０などの１つまたは複数の無線通信装置に無線接続性を提供するように構成された、１つまたは複数の基地局１０５を含む。本開示の利点を有する当業者は、無線通信システム１００が、基地局１０５、および／または、アクセス・ポイント、基地局ルータ、ホーム基地局／ルータ、などの他の装置を含む、任意の数の無線アクセス・ノードを含むことができることを理解すべきである。また、無線通信システム１００は、モバイル装置１１０および／または他のモバイル装置、スマートフォン、ラップトップ、デスクトップ、などを含む、任意の数の無線通信装置に無線接続性を提供することができる。基地局１０５は、１つまたは複数のアンテナ１２０を使用するエア・インタフェースを介した伝送用に、信号を変調および符号化するために使用することができる、送信機１１５を含む。また、基地局１０５は、アンテナ１２０経由のエア・インタフェースを介して受信した信号を復調および／または復号するために使用することができる、受信機１２５を含む。
【００１７】
基地局１０５およびモバイル装置１１０は、複数のダウンリンクおよび／またはアップリンクのコンポーネント・キャリアを使用して通信するように構成される。例示された実施形態では、４本のアンテナ１２０は、異なる周波数レンジで動作する４個の別々のダウンリンク・コンポーネント・キャリアをサポートするために使用される。単一のアップリンク・コンポーネント・キャリアは、基地局１０５とモバイル装置１１０の間でサポートされる。しかしながら、本開示の利点を有する当業者は、無線通信システム１００の代替の実施形態が異なる数のアップリンクおよび／またはダウンリンクのコンポーネント・キャリアをサポートできることを理解すべきである。例えば、ＬＴＥ−Ａ規格は、５個もの数のアップリンクおよび／またはダウンリンクのコンポーネント・キャリア用のサポートを規定し、他の規格、プロトコル、および／または既存の規格またはプロトコルの改訂版は、異なる数のアップリンクおよび／またはダウンリンクのコンポーネント・キャリアをサポートすることができる。また、基地局１０５およびモバイル装置１１０は、複数のコンポーネント・キャリアが基地局１０５とモバイル装置１１０の間の通信に同時に使用されることが可能になる、キャリア・アグリゲーションをサポートする。したがって、複数のコンポーネント・キャリアは、集合キャリアの数に比例して拡張される帯域幅を有する、単一のキャリアとして機能することができる。
【００１８】
図２は、アップリンクおよび／またはダウンリンクの通信に使用することができる複数のコンポーネント・キャリアを概念的に示す。例示された実施形態では、５個のコンポーネント・キャリア２００が、無線通信用に割り当てられた帯域幅またはスペクトルの全体にわたって分散される。図２に示されたコンポーネント・キャリア２００は、不連続であり、例えば、異なるコンポーネント・キャリア２００に割り当てられた帯域幅の間にはギャップがある。しかしながら、代替の実施形態では、コンポーネント・キャリア２００は、連続および／または部分的に重なる場合がある。一実施形態では、キャリア２００は集めることができる。例えば、基地局は、キャリア２００（１〜３）を集めることによってキャリア・アグリゲーションをサポートするモバイル・ノードと通信することができる。集合キャリア２００（１〜３）の帯域幅は、それぞれのキャリア２００の帯域幅の約３倍であり、その結果、基地局およびモバイル・ノードは、単一のキャリア２００を介した通信に利用可能な帯域幅より３倍大きな帯域幅を介して通信できる可能性がある。したがって、複数のキャリア２００を集めることによって、異なる帯域幅を異なるモバイル・ノードに動的に割り当てる柔軟性を維持しながら、より高い最大データ・レートが可能になる。キャリア・アグリゲーションをサポートしない従来装置との後方互換性は、従来のコンポーネント・キャリアと同じ構造を使用して各コンポーネント・キャリアを構成することによって保持することができる。
【００１９】
図３は、従来のコンポーネント・キャリア３００の１つの例示的な実施形態を概念的に示す。例示された実施形態では、コンポーネント・キャリア３００は、エア・インタフェースを介した単一キャリア周波数分割多元接続（ＳＣ−ＦＤＭＡ）通信に使用されるアップリンク・コンポーネント・キャリアである。図３に描写されたコンポーネント・キャリア３００の構造などの構造の実施形態は、ＬＴＥ−Ａ準拠のシステムによってサポートされる複数のコンポーネント・キャリアなどの他のコンポーネント・キャリアにも使用することができる。一実施形態では、コンポーネント・キャリア３００は一時的にフレームに分割され、フレームはさらに一時的にサブフレームに分割される。各サブフレームは２つのタイムスロットを含む。図３は、１つの例示的なアップリンク・タイムスロットＴＳＬＯＴを描写する。各スロット内の伝送された信号は、
【００２０】
【数１】
2013530602.tif 000003
個のサブキャリアの１つまたはいくつかのリソース・グリッド３０５および
【００２１】
【数２】
2013530602.tif 000004
個のＳＣ−ＦＤＭＡシンボルによって記述される。個数
【００２２】
【数３】
2013530602.tif 000005
は、セルの中に構成されたアップリンクの伝送帯域幅に依存し、３ＧＰＰ規格に準拠する実施形態では、個数は以下の条件を満足する。
【００２３】
【数４】
2013530602.tif 000006
ここで、
【００２４】
【数５】
2013530602.tif 000007
および
【００２５】
【数６】
2013530602.tif 000008
は、それぞれ、最新版の仕様によってサポートされる最小および最大のアップリンク帯域幅である。スロット内のＳＣ−ＦＤＭＡシンボルの数は、高位層パラメータＵＬ−ＣｙｃｌｉｃＰｒｅｆｉｘＬｅｎｇｔｈによって構成された巡回プリフィックス長に依存する。
【００２６】
リソース・グリッド３０５内の各エレメントはリソース・エレメントと呼ぶことができ、スロット内のインデックス・ペア（ｋ，ｌ）によって一意に定義することができる。ここで、
【００２７】
【数７】
2013530602.tif 000009
および
【００２８】
【数８】
2013530602.tif 000010
は、それぞれ周波数ドメインおよび時間ドメインの中のインデックスである。アンテナ・ポートｐ上のリソース・エレメント（ｋ，ｌ）は、複素数
【００２９】
【数９】
2013530602.tif 000011
に対応する。混乱する危険がない場合、または特定のアンテナ・ポートが指定されない場合、インデックスｐは削除することができる。スロット内の物理的なチャネルまたは物理的な信号の伝送に使用されないリソース・エレメントに対応する個数
【００３０】
【数１０】
2013530602.tif 000012
は、ゼロにセットすることができる。物理的なリソース・ブロックは、時間ドメイン内の
【００３１】
【数１１】
2013530602.tif 000013
個連続したＳＣ−ＦＤＭＡシンボル、周波数ドメイン内の
【００３２】
【数１２】
2013530602.tif 000014
個連続したサブキャリアとして定義することができる。
【００３３】
【数１３】
2013530602.tif 000015
および
【００３４】
【数１４】
2013530602.tif 000016
の例示的な値は表１によって与えられる。例示された実施形態では、アップリンク内の物理的なリソース・ブロックは
【００３５】
【数１５】
2013530602.tif 000017
個のリソース・エレメントからなり、時間ドメイン内の１スロットおよび周波数ドメイン内の１８０ｋＨｚに対応する。
【００３６】
【表１】
2013530602.tif 000018
周波数ドメイン内の物理的なリソース・ブロックの数ｎＰＲＢとスロット内のリソース・エレメント（ｋ，ｌ）との間の関係は、以下の数式によって与えることができる。
【００３７】
【数１６】
2013530602.tif 000019
【００３８】
図１の参照に戻ると、無線通信システム１００は、ダウンリンク・コンポーネント・キャリア毎の承認フィードバックをサポートする。したがって、複数のダウンリンク・コンポーネント・キャリアが無線通信用にモバイル装置１１０に集合すると、モバイル装置１１０は、アップリンク上の複数のＨＡＲＱ  ＡＣＫ／ＮＡＣＫフィードバック信号伝達を提供することができる。例えば、ＬＴＥ−Ａに準拠するシステムでは、複数のＨＡＲＱフィードバック信号伝達は、５個までのキャリアのキャリア・アグリゲーションをサポートするために使用することができる。さらに、システム１００は、単一ユーザのマルチ入力マルチ出力（ＳＵ−ＭＩＭＯ）をサポートすることができ、その結果それぞれのキャリア上の各サブフレーム内で２つのコードワードを伝送することができる。ｎ個のＤＬコンポーネント・キャリアが起動され、各コンポーネント・キャリアが二重のコードワード伝送で構成されると、ＨＡＲＱフィードバック状態の総数はＤＬコンポーネント・キャリア毎に（ＡＣＫ，ＡＣＫ）、（ＡＣＫ，ＮＡＣＫ）、（ＮＡＣＫ，ＡＣＫ）、（ＮＡＣＫ，ＮＡＣＫ）および（ＤＴＸ）の５個であり、起動されたＤＬコンポーネント・キャリアについて５ｎ個である。しかしながら、いかなるＤＬ割り当ても受信しない場合、モバイル装置１１０はＤＴＸ信号伝達を使用して、ＤＬ割り当ての受信に失敗したことを基地局１０５に示すことができ、その結果５ｎ−１個の状態を符号化する。あるいは、一重のコードワードが伝送された場合、３ｎ−１個の状態を符号化することができる。いくつかのＤＬコンポーネント・キャリアが一重のコードワードでスケジュールされ、いくつかが二重のコードワード伝送でスケジュールされた場合、フィードバック状態の数は
【００３９】
【数１７】
2013530602.tif 000020
になる。ここで、ｆｎはＤＬコンポーネント・キャリア毎のＡＣＫ／ＮＡＣＫフィードバックの数（一重および二重のコードワード伝送の場合、それぞれ３および５）である。
【００４０】
比較的多数のビットが、アップリンク・チャネルを介して承認フィードバックを伝送するのに必要とされ得る。５個の起動されたＤＬコンポーネント・キャリア、および、それぞれのコンポーネント・キャリアが二重のコードワード伝送でスケジュールされる場合のそれぞれについて、状態情報をフィードバックするのに必要なビットの数は、（ＦＤＤを仮定して）１２ビットになる。１つの提案は、起動されたＤＬコンポーネント・キャリアの数に基づいて必要なコードブックが適合されるように、制御チャネル・フォーマットを修正することである。しかしながら、この提案はかなりの欠点を有する。それらの欠点の中には、仕様作成の努力、および端末の送信機と基地局の受信機の両方のために新しい送受信機が必要になることがある。
【００４１】
起動されたキャリアの中でＡＣＫ／ＮＡＣＫビットを別々にマッピングする場合、ＡＣＫビットおよびＮＡＣＫビットだけを符号化することができる。しかしながら、ＰＤＣＣＨ検出の失敗に起因して、例えば、モバイル装置１１０が物理的なダウンリンク制御チャネル（ＰＤＣＣＨ）上のＤＬ割り当てを検出または復号しない場合、不連続伝送（ＤＴＸ）が発生する可能性がある。ＤＴＸ状態はモバイル・ノード１１０では分からない。そのため、ＤＴＸ処理は基地局の受信機１２５に実装することができる。別々のマッピングの一例は、構成されたキャリア毎にＰＵＣＣＨ（フォーマット１ｂ）リソースを確保することである。（リリース８で規定したように）この手法で、ＤＴＸ検出を伴うキャリア毎の承認チャネルの独立した検出は、基地局１０５に実装することができる。したがって、符号化されるキャリア毎のＨＡＲＱフィードバック状態の総数は４に削減することができ、結果的にｎ個の起動されたＤＬコンポーネント・キャリアについて４ｎ個の状態になる。
【００４２】
ＤＴＸ信号伝達に伴う１つの問題は、モバイル・ノード１１０が、ＰＤＣＣＨ検出の失敗と基地局１０５からのＰＤＣＣＨ伝送がないことを区別できないことであり得る。これによって、基地局１０５によりモバイル装置１１０にスケジューリング認可が伝送されなかったときでも、過度のＤＴＸフィードバックがもたらされる。一実施形態では、動的ＰＤＣＣＨモニタリング・セット手法を実装することができ、その結果、（割り当てなどの）ＰＤＣＣＨ伝送を伴うコンポーネント・キャリアがＤＬアンカ・キャリア内のＤＬ割り当て用ＤＣＩフォーマットの中に明確に示される。この実施形態では、モバイル・ノード１１０は有効なＰＤＣＣＨ伝送を伴うキャリアを識別することができ、ＤＴＸを伝送する必要がない。モバイル装置は、ＰＤＣＣＨモニタリング・セット、例えば、モバイル装置に割り当て情報を伝送するものとして識別されるキャリアの中で、ダウンリンク・コンポーネント・キャリア毎にＡＣＫビット／ＮＡＣＫビットを伝送する必要があるにすぎない。したがって、どのダウンリンク・コンポーネント・キャリアがＰＤＣＣＨのＤＬ割り当てを伝えるかをモバイル・ノード１１０が知った場合、ＡＣＫ／ＮＡＣＫ信号伝達のビットの数は削減することができる。動的ＰＤＣＣＨモニタリング・セット手法は、ｎ回起動されるＤＬ  ＣＣ用の状態の最大数を４ｎに削減することができ、１０ビットが必要となるにすぎない。ＡＣＫ／ＮＡＣＫ信号伝達の少なくとも２ビットは、この手法の実施形態を使用して保存することができる。他の実施形態では、任意の所与のサブフレーム内のＰＤＣＣＨモニタリング・セット以外にコンポーネント・キャリア用のＡＣＫ／ＮＡＣＫ伝送はないので、より多数のビットを保存することができる。
【００４３】
例示された実施形態では、集合コンポーネント・キャリア用の承認フィードバックが、コンポーネント・キャリア・ツーＡＣＫ／ＮＡＣＫマッピングを使用するアップリンク・チャネルを介して伝送される。例えば、リリース８の（チャネル選択と呼ばれる）ＴＤＤ  ＨＡＲＱフィードバック方法は、サブフレーム・ツーＡＣＫ／ＮＡＣＫマッピングをコンポーネント・キャリア・ツーＡＣＫ／ＮＡＣＫマッピングに変更することにより、ＤＬ  ＳＩＭＯ伝送を伴う４キャリアまでのキャリア・アグリゲーションなどのＬＴＥ−Ａ用の新しい要件をサポートするように修正することができる。表２は、制御チャネル情報をアップリンク制御チャネル・リソースにマッピングする例示的な実施形態を示す。例示された実施形態では、４キャリアがダウンリンク上に集められ、単一のアップリンク・コンポーネント・キャリアのリソースは、エア・インタフェースを介して承認フィードバックを伝える単一の物理的なアップリンク制御チャネル（ＰＵＣＣＨ）をサポートするために使用される。しかしながら、本開示の利点を有する当業者は、ダウンリンク・コンポーネント・キャリアとアップリンク・コンポーネント・キャリアの間の４対１関係についてのこの特定のマッピングが例示的なものであることを理解すべきである。代替の実施形態では、この数もしくは他の数のアップリンクおよび／またはダウンリンクのコンポーネント・キャリア用に他のマッピングを使用することができる。
【００４４】
例示された実施形態では、さまざまなコンポーネント・キャリア用の承認フィードバックの値がアップリンク・チャネル・リソースおよびリソースの中で伝えられたシンボルの値にマップされる。例えば、４対１関係の場合、４個のアップリンク・チャネル・リソース・ブロック
【００４５】
【数１８】
2013530602.tif 000021
がＰＵＣＣＨをサポートするために使用することができ、各リソース・ブロックは、２ビット（ｂ０，ｂ１）を使用して表現することができる四相位相変調（ＱＰＳＫ）シンボル・コンステレーションを伝えるために使用することができる。アップリンク・チャネル・リソース・ブロックとＱＰＳＫシンボルの値との各組合せは、４個のコンポーネント・キャリア用のフィードバック値（ＡＣＫ，ＮＡＣＫ，ＤＴＸ）の特定の組合せにマップされる。したがって、基地局１０５は、単一のアップリンク制御チャネルを復号することにより、コンポーネント・キャリア毎にフィードバック指示を判定することができる。基地局１０５は情報を使用して、各コンポーネント・キャリア上に伝送された情報が成功裏に受信されたかどうか、および／または、いずれかのコンポーネント・キャリアを介して伝送されたいずれかの情報を再送すべきかどうかを判定することができる。
【００４６】
【表２】
2013530602.tif 000022
【００４７】
表２に描写されたマッピングの実施形態は、ダウンリンクＭＩＭＯをサポートしないユーザ機器用の承認フィードバックを生成するために使用することができ、その結果、４キャリア用のフィードバック（ＡＣＫ，ＮＡＣＫ，ＤＴＸ）をアップリンク・リソースおよびＱＰＳＫ変調シンボルにマップすることができる。ダウンリンクＭＩＭＯによって、基地局１０５がコンポーネント・キャリア毎に２つのコードワード用のＨＡＲＱフィードバックを必要とする可能性がある各コンポーネント・キャリア上に、２つのコードワードを伝送することが可能になり得る。したがって、ダウンリンクＭＩＭＯをサポートするユーザ機器は、表２に描写されたマッピングの実施形態を使用して、２つまでのコンポーネント・キャリア用の承認フィードバックを生成することができる。本明細書に記載したチャネル選択技法の実施形態を拡張してアップリンク・コンポーネント・キャリア内の複数のアップリンク制御チャネルをサポートすること、および／または、空間的バンドリングを使用することによって、別のフィードバックを与えることができる。
【００４８】
図４は、複数のアップリンク制御チャネルを介して承認フィードバックを与えるためのリソース割り当て４００の１つの例示的な実施形態を概念的に示す。例示された実施形態は、１つのサブフレーム内の物理的なリソース・ブロックの、４個もの数の異なるチャネルへの実現可能な割り当てを描写する。各チャネルはインデックスｍの値によって示される。例示された分配は、チャネルのペアを隣接する周波数上の物理的なリソース・ブロックに割り当てることができるように選択される。例えば、チャネルｍ＝０およびｍ＝２は、サブフレームの両方のスロット内の隣接する物理的なリソース・ブロックに割り当てられる。また、例示された分配は、各チャネルを、さまざまなスロット内の異なる周波数にある物理的なリソース・ブロックに割り当て、１つのチャネルが１つのスロット内の高周波数に、およびその他のチャネルがその他のスロット内の高周波数になるように、チャネルのペアを切り替える。例えば、チャネルｍ＝０およびｍ＝２は、サブフレームの第１のスロットでは、それぞれ物理的なリソース・ブロックｎＰＲＢ＝０およびｎＰＲＢ＝１に、サブフレームの第２のスロットでは、それぞれ物理的なリソース・ブロック
【００４９】
【数１９】
2013530602.tif 000023
および
【００５０】
【数２０】
2013530602.tif 000024
に割り当てられる。図４に描写された割り当ては、アップリンク・チャネル用の周波数および／または時間の多様性利得を増大させる助けとなることができる。
【００５１】
複数の物理的なアップリンク制御チャネルは、集合ダウンリンク・コンポーネント・キャリアに承認を与えるために使用することができるフィードバック・ビットの数を増大させることができる。一実施形態では、８個までのフィードバック・ビットを表現する情報は、アップリンク制御チャネル毎の４個のアップリンク・リソース、およびアップリンク・リソースの中で伝送されたシンボルのＱＰＳＫ変調を使用して、伝送することができる。強化されたフィードバックは、単一のコードワードが各ダウンリンク・コンポーネント・キャリア上に伝送されると、ＬＴＥ−Ａによってサポートされる５個のダウンリンク・コンポーネント・キャリアなどの、４個を超える集合コンポーネント・キャリアをサポートするために使用することができる。ＭＩＭＯが各ダウンリンク・キャリア上で伝送されるコードワードの数を増大させるために使用されると、各コードワード用のＨＡＲＱフィードバックをサポートするために、別のフィードバック・ビットを使用することができる。例えば、４個のダウンリンク・コンポーネント・キャリアのそれぞれに伝送される２つのコードワードの受信を承認するために、８個の承認ビットを使用することができる。
【００５２】
相互変調歪み（ＩＭＤ）は、複数のＰＵＣＣＨが隣接しないリソース・ブロック内の同時伝送上に多重伝送されると、ＰＵＣＣＨ伝送に影響する可能性がある。しかしながら、そのような問題は、周波数で隣接するリソース・ブロック内の複数の同時ＰＵＣＣＨ伝送では予知されない。したがって、ＩＭＤは複数の同時ＰＵＣＣＨ伝送の使用を妨げないはずである。一実施形態では、複数の同時ＰＵＣＣＨ伝送が起こる場合、それらは周波数で隣接するリソース・ブロックを占有するように、仕様は作ることができる。次いで、ネットワークは構成を規定して、適切な隣接するＰＵＣＣＨリソース・ブロックが割り当てられることを保証することができる。あるいは、隣接するＰＲＢの割り当ては、規格の中の仕様によって明確に配置することができる。場合によっては、２つのＰＲＢにマップされたＤＭ  ＲＳの間には、電力分離に起因する潜在的なチャネル推定損失の可能性がある。しかしながら、５個のＣＣのアグリゲーションをサポートするユーザ機器は、良好な幾何形状を有するはずで、電力が制限されたユーザ機器に適用できないことが予知される。５キャリアのアグリゲーションをサポートすることができるユーザ機器の場合、チャネル推定はＰＵＣＣＨのＡＣＫ／ＮＡＣＫチャネル性能の中のボトルネックになりそうではない。
【００５３】
図１の参照に戻ると、基地局１０５は複数のアンテナ１２０を使用して、ダウンリンクＭＩＭＯをサポートすることができる。したがって、基地局１０５は、各ダウンリンク・コンポーネント・キャリア上で複数のコードワードを伝送することができる。したがって、アップリンク・コンポーネント・キャリア上のアップリンク制御チャネルは、各集合コンポーネント・キャリア上のコードワードが成功裏に受信されたかどうかを示す承認情報を提供するように構成することができる。例示された実施形態では、基地局１０５は４個を超えるダウンリンク・コンポーネント・キャリアを集め、各集合ダウンリンク・コンポーネント・キャリア上に２つのコードワードを伝送することができる。したがって、場合によっては、モバイル装置１１０は、８個を超える承認ビットを表現するフィードバック情報を提供することができる。空間的バンドリングは、集合ダウンリンク・コンポーネント・キャリア用の別のフィードバック情報を提供するために使用することができる。例示された実施形態では、空間的バンドリングは、フィードバック情報量を増大させるために、複数のアップリンク制御チャネルの割り当てと一緒に使用することができる。例えば、ダウンリンク・コンポーネント・キャリア上に伝送されたコードワードの空間的バンドリングによって、承認フィードバックが９個以上のコードワードに与えられることが可能になる。しかしながら、代替の実施形態では、空間的バンドリングは、フィードバック情報量を増大させるために、複数のアップリンク制御チャネルの割り当ての代わりに使用することができる。
【００５４】
図５は、コンポーネント・キャリア上で伝送されるコードワードの空間的バンドリングの１つの例示的な実施形態５００を概念的に示す。例示された実施形態では、２つのダウンリンク・コンポーネント・キャリア（ＤＬ  ＣＣ  １，ＤＬ  ＣＣ  ２）が、各サブフレーム内のキャリア毎に２つのコードワードを伝送するために使用される。例えば、コードワードＣｏｄｅｗｏｒｄ  １／Ｃｏｄｅｗｏｒｄ  ２は第１のダウンリンク・コンポーネント・キャリアＤＬ  ＣＣ  １上で伝送することができ、コードワードＣｏｄｅｗｏｒｄ  ３／Ｃｏｄｅｗｏｒｄ  ４は第２のダウンリンク・コンポーネント・キャリアＤＬ  ＣＣ  ２上で伝送することができる。次いで、ダウンリンク・コンポーネント・キャリアのそれぞれの上のコードワードはバンドルすることができ、承認フィードバックをバンドル毎に与えることができる。例えば、空間的バンドリングによって、単一のフィードバック・ビットが各バンドルの中の２つのコードワードの承認用に使用されることが可能になる。したがって、各サブフレーム内のダウンリンク・コンポーネント・キャリアを介して伝送される４個のコードワードを承認するのに必要なフィードバック・ビットの数は、４ビットから２ビットに削減することができる。
【００５５】
開示した主題の一部および対応する詳細説明は、ソフトウェア、すなわち、コンピュータ・メモリ内のデータ・ビット上の動作のアルゴリズムおよび符号表現の用語で提示される。これらの記述および表現は、それによって当業者が自身の仕事の本質を他の当業者に効率的に伝えるものである。アルゴリズムは、その用語が本明細書で使用されるように、かつ一般的に使用されるように、所望の結果に導く首尾一貫した一連のステップであると考えられる。ステップは、物理量の物理的操作を必要とするステップである。一般に、必ずしもそうではないが、これらの量は、格納、転送、結合、比較、および、そうでなければ操作されることが可能な、光学的、電気的、または磁気的な信号の形をとる。主に共通使用の理由から、これらの信号を、ビット、値、要素、符号、文字、数字、などとして参照することが時には便利であると証明された。
【００５６】
しかしながら、これらおよび同様の用語のすべては適切な物理量に関連しており、これらの量に適用される便利な標識にすぎないことに留意すべきである。他で詳細に記述しない限り、または説明から明白なように、「処理」または「演算」または「計算」または「決定」または「表示」などの用語は、コンピュータ・システムのレジスタおよびメモリの内部の物理的、電気的な量として表現されたデータを操作し、コンピュータ・システムのメモリもしくはレジスタ、または、他のそのような情報を格納、伝送もしくは表示する装置の内部の物理量として同様に表現された他のデータに変換する、コンピュータ・システムまたは同様の電子計算装置の動作および処理を意味する。
【００５７】
また、開示した主題のソフトウェア実装の態様は、通常、いくつかの形態のプログラム記憶媒体上に符号化されるか、または、いくつかのタイプの伝送媒体を介して実装されることに注意されたい。プログラム記憶媒体は、磁気式（例えば、フロッピ・ディスクもしくはハードドライブ）または光学式（例えば、コンパクト・ディスク・リード・オンリ・メモリすなわち「ＣＤ  ＲＯＭ」）であり得るし、リード・オンリまたはランダム・アクセスであり得る。同様に、伝送媒体はツイスト・ワイヤ・ペア、同軸ケーブル、光ファイバ、または、当技術分野で知られているいくつかの他の適切な伝送媒体であり得る。開示した主題は、任意の所与の実装形態のこれらの態様によって限定されない。
【００５８】
開示した主題は、本明細書における教示の利点を有する当業者には明白な、異なるが均等な方式で修正し実践することができるので、上記に開示した特定の実施形態は例示的にすぎない。さらに、下記特許請求の範囲に記載された以外、本明細書において示した構造または設計の詳細に限定されるものではない。したがって、上記に開示した特定の実施形態は変更または修正することができ、そのような変形形態のすべては開示した主題の範囲内であると考えられることは明白である。したがって、本明細書において求められる保護は、下記特許請求の範囲で説明される通りである。
【図１】
2013530602.tif 000025
【図２】
2013530602.tif 000026
【図３】
2013530602.tif 000027
【図４】
2013530602.tif 000028
【図５】
2013530602.tif 000029
【国際調査報告】
2013530602.tif 000030
2013530602.tif 000031